(57)【要約】【課題】吸収性物品が多少ズレた状態で着用されても、身体形状へのフィット性に優れることで着用者に違和感を与え難く、着用者の肌との間に隙間を生じ難く、十分な吸収性能が発現できる吸収性物品を提供すること。【解決手段】本発明の吸収性物品１は、吸収性コア４１の中間領域４１Ｍに第一領域４１Ｆ及び第二領域４１Ｒよりも厚みが厚く且つ坪量の高い中高部４２を備えている。中高部４２は、横方向の全長に亘って延在し縦方向に延在する中高中央部４２１、中高中央部４２１の前端部から第一領域４１Ｆ側に向かって凸の前方側凸部４２２、中高中央部４２１の後端部から第二領域４１Ｒ側に向かって凸の後方側凸部４２３を有する。中高部４２は、前方側凸部４２２及び後方側凸部４２３の少なくとも一方に、横方向に延びる中高横溝部４７を有する。【選択図】図２
2018068441.tif 000002
【特許請求の範囲】
【請求項１】
着用者の前後方向に対応する縦方向に長い形状の吸収性コアを備え、前方区域及び後方区域を有する吸収性物品であって、
前記吸収性コアは、前記前方区域側に位置する第一領域及び前記後方区域側に位置する第二領域との間に中間領域を有し、該中間領域には、該第一領域及び該第二領域における厚みよりも厚みが厚く且つ該第一領域及び該第二領域における坪量よりも坪量の高い中高部を備えており、
前記中高部は、前記吸収性コアを平面視して、該吸収性コアの縦方向に直交する横方向の全長に亘って延在し且つ該吸収性コアの縦方向に沿う両側縁に従って縦方向に所定の長さに延在する中高中央部、該中高中央部の縦方向の前端部から前記第一領域側に向かって凸の１個の前方側凸部、及び該中高中央部の縦方向の後端部から前記第二領域側に向かって凸の１個の後方側凸部を有しており、
前記中高部は、前記吸収性コアを平面視して、前記前方側凸部及び前記後方側凸部の少なくとも一方に、横方向に延びる中高横溝部を有している、吸収性物品。
【請求項２】
前記吸収性コアは、その横方向の最大長さが、前記中高中央部の横方向の最大長さと同一となっている、請求項１に記載の吸収性物品。
【請求項３】
前記吸収性コアは、前記中間領域に前記中高部と該中高部以外の部分との境界を区画する中高境界溝部を有し、
前記中高境界溝部は、前記吸収性コアにおける前記第一領域及び前記第二領域の坪量よりも坪量が低く形成されており、
前記中高横溝部の一端が、前記中高境界溝部に接している、請求項１又は２に記載の吸収性物品。
【請求項４】
前記中高境界溝部は、前記吸収性コアの横方向の全長に亘って配されており、
前記中高横溝部の両端が、前記中高境界溝部における異なる部分に接している、請求項３に記載の吸収性物品。
【請求項５】
前記吸収性コアを平面視して、前記前方側凸部は前記中高中央部から前記第一領域側に向かって横方向の長さが漸次狭くなっており、前記後方側凸部は前記中高中央部から前記第二領域側に向かって横方向の長さが漸次狭くなっており、
前記吸収性コアを平面視して、前記第一領域及び前記第二領域には、縦方向及び横方向に延びる溝部と、該溝部によって区画化されて形成された複数の小吸収部とが配されており、該小吸収部は該溝部の坪量よりも坪量が高い、請求項１〜４の何れか１項に記載の吸収性物品。
【請求項６】
前記吸収性コアを平面視して、前記中高中央部の表面積が、前記前方側凸部の表面積及び前記後方側凸部の表面積それぞれよりも大きい、請求項１〜５の何れか１項に記載の吸収性物品。
【請求項７】
前記中高横溝部は、前記前方側凸部及び前記後方側凸部にそれぞれ配されており、
前記吸収性物品は、肌対向面を形成する肌側シート、非肌対向面を形成する非肌側シート、及びこれら両シート間に介在された前記吸収性コアを具備しており、
前記吸収性物品は、前記肌側シートと前記吸収性コアとが圧搾一体化された線状圧搾溝を備え、
前記線状圧搾溝は、前記吸収性コアの縦方向に延びる一対の縦圧搾溝と、該一対の縦圧搾溝の横方向の外側に一対の第２縦圧搾溝とを有しており、
前記第２縦圧搾溝は、前記前方側凸部の前記中高横溝部と前記後方側凸部の前記中高横溝部との間に配されている、請求項１〜６の何れか１項に記載の吸収性物品。
【請求項８】
前記中高横溝部は、前記前方側凸部及び前記後方側凸部にそれぞれ配されており、
前記吸収性物品の縦方向に沿う両側に一対のウイング部を備えており、該一対のウイング部における前記前方区域側に位置する付け根どうしを結ぶ前方側仮想線の位置と前記前方側凸部の前記中高横溝部の位置とが一致しており、該一対のウイング部における前記後方区域側に位置する付け根どうしを結ぶ後方側仮想線の位置と前記後方側凸部の前記中高横溝部の位置とが一致している、請求項１〜７の何れか１項に記載の吸収性物品。
【発明の詳細な説明】
【技術分野】
【０００１】
本発明は、生理用ナプキン、失禁パッド等の吸収性物品に関する。
【背景技術】
【０００２】
従来、生理用ナプキン等の吸収性物品においては、排せつ液量が多い場合などでは、日常の生活行動の中においても液漏れに繋がる場合があった。そのため、本出願人は、吸収性物品の吸収性コアにおいて、着用者の液排泄部に対向配置される排泄対向区域の中央部分に坪量の大きい中高部分を設けることにより液漏れを防ぐ方法を提案した（例えば特許文献１）。
【０００３】
例えば、特許文献１では、吸収性物品の吸収性コアにおいて、排泄対向区域の中央部分に坪量の大きい中高部分を設け、さらに中高部分に坪量の低い横溝及び縦溝を設ける技術を提案した。特許文献１に記載の吸収性物品によれば、液を排泄ポイントに滞留させずに拡散させることで、装着感の向上を図り、液漏れを防止することができる。
【先行技術文献】
【特許文献】
【０００４】
【特許文献１】特開２０１２−１２５３６６号公報
【発明の概要】
【発明が解決しようとする課題】
【０００５】
特許文献１に記載の吸収性物品においては、着用の際に吸収性物品を身体の適正な位置に着用できなければ、身体の前後方向や左右の幅方向に着用位置ズレが発生する場合があり、特許文献１に記載の吸収性物品の効果を十分に得られない場合があった。このように特許文献１に記載の吸収性物品には、更なる改良の余地があった。
【０００６】
したがって本発明は、前述した従来技術が有する欠点を解消し得る吸収性物品を提供することにある。
【課題を解決するための手段】
【０００７】
本発明は、着用者の前後方向に対応する縦方向に長い形状の吸収性コアを備え、前方区域及び後方区域を有する吸収性物品であって、前記吸収性コアは、前記前方区域側に位置する第一領域及び前記後方区域側に位置する第二領域との間に中間領域を有し、該中間領域には、該第一領域及び該第二領域における厚みよりも厚みが厚く且つ該第一領域及び該第二領域における坪量よりも坪量の高い中高部を備えており、前記中高部は、前記吸収性コアを平面視して、該吸収性コアの縦方向に直交する横方向の全長に亘って延在し且つ該吸収性コアの縦方向に沿う両側縁に従って縦方向に所定の長さに延在する中高中央部、該中高中央部の縦方向の前端部から前記第一領域側に向かって凸の１個の前方側凸部、及び該中高中央部の縦方向の後端部から前記第二領域側に向かって凸の１個の後方側凸部を有しており、前記中高部は、前記吸収性コアを平面視して、前記前方側凸部及び前記後方側凸部の少なくとも一方に、横方向に延びる中高横溝部を有している、吸収性物品を提供するものである。
【発明の効果】
【０００８】
本発明によれば、吸収性物品が多少ズレた状態で着用されても、身体形状へのフィット性に優れることで着用者に違和感を与え難く、着用者の肌との間に隙間を生じ難く、十分な吸収性能が発現できる。
【図面の簡単な説明】
【０００９】
【図１】図１は、本発明の吸収性物品の好ましい一実施形態である生理用ナプキンの肌対向面側（肌側シート側）を示す平面図である。
【図２】図２は、図１に示す生理用ナプキンの有する吸収性コアにおける肌対向面側の平面図である。
【図３】図３は、図２のＩＩＩ−ＩＩＩ線断面を模式的に示す断面図である。
【図４】図４は、図２のＩＶ−ＩＶ線断面を模式的に示す断面図である。
【図５】図５（ａ）ないし図５（ｂ）は、図１に示す生理用ナプキンの備える吸収性コアの製造工程を説明する説明図である。
【図６】図６は、比較例１の生理用ナプキンの有する吸収性コアの斜視図である。
【発明を実施するための形態】
【００１０】
以下、本発明の吸収性物品を、その好ましい一実施形態である生理用ナプキン１（以下、「ナプキン１」とも言う。）に基づき図面を参照して説明する。図１には、本実施形態のナプキン１を肌側シート側から視た平面図が示されている。本実施形態のナプキン１は、図１に示すように、着用者の前後方向に対応する縦方向Ｘに長い形状の吸収性コア４１を備え、前方区域Ａ及び後方区域Ｃを有する。ナプキン１は、図１に示すように、着用者の液排泄部に対向配置される排泄対向区域Ｂと、該排泄対向区域Ｂの縦方向Ｘの前後に配置された前方区域Ａ及び後方区域Ｃとに区分されている。
【００１１】
本明細書において、縦方向Ｘは、着用者の前後方向に対応しており、吸収性物品（ナプキン１）の長手方向に一致し、横方向Ｙは、吸収性物品（ナプキン１）の幅方向（長手方向に直交する方向）に一致している。したがって、特段の断りがない場合には、本明細書において、長手方向（縦方向Ｘ）の長さは、縦方向Ｘで測定される距離である「長さ」を意味し、横方向Ｙの長さは、横方向Ｙで測定される距離である「幅」を意味する。ナプキン１は、縦方向Ｘに延びる中心線ＣＬに対して左右対称に形成されている。縦方向Ｘとは、中心線ＣＬに平行な方向でもある。また、本明細書において、肌対向面は、吸収性物品（ナプキン１）又はその構成部材である例えば吸収体４における、吸収性物品（ナプキン１）の着用時に着用者の肌側に向けられる面であり、非肌対向面は、吸収性物品（ナプキン１）又はその構成部材である例えば吸収体４における、吸収性物品（ナプキン１）の着用時に肌側とは反対側（着衣側）に向けられる面である。
【００１２】
ナプキン１は、着用時に着用者の液排泄部（膣口等）に対向配置される排泄対向区域Ｂと、該排泄対向区域Ｂよりも着用者の腹側（前側）寄りに配される前方区域Ａと、該排泄対向区域Ｂよりも着用者の背側（後側）寄りに配される後方区域Ｃとを有している。即ち、ナプキン１は、縦方向Ｘに、前方区域Ａ、排泄対向区域Ｂ及び後方区域Ｃの順番で区分される。
【００１３】
尚、本発明の吸収性物品において、排泄対向区域Ｂとは、本実施形態のナプキン１のようにウイング部１Ｗを有する場合には、縦方向Ｘにおいてウイング部１Ｗを有する領域（一方のウイング部１Ｗの縦方向Ｘに沿う付け根と他方のウイング部１Ｗの縦方向Ｘに沿う付け根とに挟まれた領域）を意味する。また、ウイング部を有しない吸収性物品の場合には、吸収性物品が３つ折りの個装形態に折り畳まれた際に生じる、該吸収性物品を横方向Ｙに横断する２本の折曲線（図示せず）について、該吸収性物品の縦方向Ｘの前端から数えて第１折曲線と第２折曲線とに囲まれた領域を意味する。
【００１４】
本実施形態のナプキン１は、図１に示すように、肌対向面を形成する液透過性の肌側シート２、非肌対向面を形成する非肌側シート３、及びこれら両シート２，３間に介在された吸収体４を具備している。吸収体４は、吸収性コア４１と、該吸収性コア４１を包むコアラップシート（不図示）とから構成されている。
【００１５】
ナプキン１では、肌側シート２は、図１に示すように、吸収体４の肌対向面の全域を被覆し、吸収体４の縦方向Ｘに沿う両側縁から横方向Ｙの外方に延出している。一方、非肌側シート３は、吸収体４の非肌対向面の全域を被覆し、更に肌側シート２の縦方向Ｘに沿う両側縁から横方向Ｙの外方に延出して、後述するサイドシート５と共にサイドフラップ部１Ｓを形成している。非肌側シート３とサイドシート５とは、吸収体４の縦方向Ｘに沿う両側縁からの延出部において、接着剤、ヒートシール、超音波シール等の公知の接合手段によって互いに接合されている。尚、肌側シート２及び非肌側シート３それぞれと吸収体４との間は接着剤によって接合されていてもよい。
【００１６】
ナプキン１では、サイドシート５は、図１に示すように、肌側シート２の肌対向面における縦方向Ｘに沿う両側部に配されている。好適には、サイドシート５は、平面視において肌側シート２の縦方向Ｘに沿う左右両側部に重なるように、肌側シート２の縦方向Ｘの全長に亘って配されている。
【００１７】
ナプキン１では、一対のサイドシート５，５は、それぞれ、図１に示すように、接合部６にて肌側シート２に接合されている。曲線による横方向Ｙへの凹凸を交互に縦方向Ｘに連続して配した波状の接合部６は、平面視において、中心線ＣＬを中心として横方向Ｙに対称に一対配されている。このように、サイドシート５が、波状の接合部６にて肌側シート２に接合されて固定されると、波状に配された接合部６の接合部群よりも横方向Ｙの内方に、サイドシート５と肌側シート２とで画成される空間部が形成される。この空間部は、中心線ＣＬに向けて開口しているので、横方向Ｙの中央から外方へ流れる経血等の体液が該空間部に収容されるようになり、結果として体液の漏れが効果的に防止できる。
【００１８】
ナプキン１では、サイドフラップ部１Ｓは、図１に示すように、排泄対向区域Ｂにおいて横方向Ｙの外方に向かって大きく張り出しており、これによりナプキン１は、その縦方向Ｘに沿う左右両側に、一対のウイング部１Ｗ，１Ｗを備えるようになる。ウイング部１Ｗは、ショーツ等の着衣のクロッチ部の非肌対向面側に折り返されて用いられるものである。また、肌側シート２及び非肌側シート３は、図１に示すように、吸収体４の縦方向Ｘの前端及び後端それぞれから縦方向Ｘの外方に延出し、それらの延出部において、接着剤、ヒートシール、超音波シール等の公知の接合手段によって、互いに接合されてエンドシール部を形成している。
【００１９】
ナプキン１では、図１に示すように、肌側シート２と吸収性コア４１とが圧搾一体化された線状圧搾溝７を備えている。好適に、ナプキン１では、肌側シート２の肌対向面に、肌側シート２及び吸収体４が非肌側シート３側に向かって一体的に凹陥してなる線状圧搾溝７が形成されている。線状圧搾溝７における「線状」とは、溝（凹陥部）の形状が平面視において直線に限られず、曲線を含んでいることを意味する。尚、線状圧搾溝７は、線状に延びていれば、溝の底部の厚みが一定であってもよく、溝の底部の厚みが一定でなくてもよい。溝の底部の厚みが一定でない圧搾溝としては、例えば、圧搾溝の底部に、相対的に深く窪んでいる部分（高圧搾部）と相対的に浅く窪んでいる部分（低圧搾部）とが形成されている形態が挙げられる。線状圧搾溝７は、肌側シート２及び吸収体４に関して、構成部材である各々の繊維の密度が、該線状圧搾溝７の周囲部の密度よりも高くなっている。
【００２０】
ナプキン１では、線状圧搾溝７は、図１に示すように、吸収性コア４１の縦方向Ｘに延びる一対の縦圧搾溝７３，７３と、一対の縦圧搾溝７３，７３の横方向Ｙの外側に一対の第２縦圧搾溝７３Ａ，７３Ａとを有している。好適に、ナプキン１では、線状圧搾溝７は、吸収体４の前方区域Ａ及び後方区域Ｃに、それぞれ横方向Ｙに延びる第１横圧搾溝７１と、吸収体４の排泄対向区域Ｂの縦方向Ｘに沿う両側部に縦方向Ｘに延びる縦圧搾溝７３とを有している。ナプキン１では、第１横圧搾溝７１は、縦方向Ｘ外方に向けて凸の曲線状であり、縦圧搾溝７３は、排泄対向区域Ｂにおいて横方向Ｙ外方に向けて凸の曲線状である。第１横圧搾溝７１は、一対の縦圧搾溝７３よりも内側に、一対の縦圧搾溝７３に亘って横方向Ｙに延びている。ナプキン１では、前方区域Ａの第１横圧搾溝７１、一方の縦圧搾溝７３、後方区域Ｃの第１横圧搾溝７１、及び他方の縦圧搾溝７３が繋がってリング状の全周溝を形成している。このように形成された線状圧搾溝７は、吸収体４の平面方向への体液の拡散を抑制して、ナプキン１の周囲から液漏れを効果的に防止することができる。一対の第２縦圧搾溝７３Ａ，７３Ａは、リング状の全周溝を形成する前方区域Ａの第１横圧搾溝７１、一方の縦圧搾溝７３、後方区域Ｃの第１横圧搾溝７１、及び他方の縦圧搾溝７３とは独立して配されている。第２縦圧搾溝７３Ａは、縦圧搾溝７３と同様に、排泄対向区域Ｂにおいて横方向Ｙ外方に向けて凸の曲線状である。
【００２１】
ナプキン１では、吸収体４を構成する吸収性コア４１は、図２に示すように、縦方向Ｘの前方区域Ａ側に位置する第一領域４１Ｆ及び後方区域Ｃ側に位置する第二領域４１Ｒを有し、第一領域４１Ｆと第二領域４１Ｒとの間に中間領域４１Ｍを有している。中間領域４１Ｍは中高部４２を備えている。ナプキン１では、吸収性コア４１の中間領域４１Ｍは、排泄対向区域Ｂに配置されている。好適に、ナプキン１では、吸収性コア４１の中間領域４１Ｍと排泄対向区域Ｂは、縦方向において一致している。したがって、ナプキン１では、排泄対向区域Ｂに中高部４２を有している。尚、ナプキン１では、図２に示すように平面視して、ナプキン１の前方区域Ａの大きさと吸収性コア４１の第一領域４１Ｆの大きさとが略一致しており、ナプキン１の後方区域Ｃの大きさと吸収性コア４１の第二領域４１Ｒの大きさとが略一致している。
【００２２】
ナプキン１が、横方向Ｙ両外側に一対のウイング部１Ｗを備える場合には、各ウイング部１Ｗにおける縦方向Ｘに間隔を空けて配されたウイング部１Ｗの付け根どうし間に中間領域４１Ｍが存在している。より具体的には、ナプキン１の中間領域４１Ｍは、各ウイング部１Ｗにおける縦方向Ｘに間隔を空けて配されたウイング部１Ｗの付根どうし間に亘って存在している。尚、ナプキン１の前方区域Ａの大きさと吸収性コア４１の第一領域４１Ｆの大きさとが略一致しており、ナプキン１の後方区域Ｃの大きさと吸収性コア４１の第二領域４１Ｒの大きさとが略一致している場合には、ナプキン１の中間領域４１Ｍの縦方向Ｘの長さは、各ウイング部１Ｗにおける縦方向Ｘに間隔を空けて配されたウイング部１Ｗの付根どうし間の長さと同一である。
【００２３】
また、中間領域４１Ｍは、後述する中高境界溝部４３及び後述する中高横溝部４７を除き、中間領域４１Ｍの前方に位置する第一領域４１Ｆ及び中間領域４１Ｍの後方に位置する第二領域４１Ｒの各領域における吸収性コア４１の厚みよりも厚みが厚くなっている。ナプキン１では、吸収性コア４１は、ナプキン１の縦方向Ｘと同方向に長い形状を有する。したがって、吸収性コア４１の縦方向は、ナプキン１の縦方向Ｘと同方向であり、吸収性コア４１の横方向は、ナプキン１の横方向Ｙと同方向である。
【００２４】
中間領域４１Ｍの備える中高部４２は、その厚みが、図３に示すように、吸収性コア４１における第一領域４１Ｆの厚み及び第二領域４１Ｒの厚みよりも厚く形成されており、且つ、その坪量が、吸収性コア４１における第一領域４１Ｆの坪量及び第二領域４１Ｒの坪量よりも高く形成されている。ここで、中高部４２の厚み及び坪量とは、中高部４２における後述する中高境界溝部４３及び後述する中高横溝部４７が存在しない部分における厚み及び坪量を意味する。また、中高部４２の厚み及び坪量と比較する第一領域４１Ｆ及び第二領域４１Ｒのそれぞれの厚み及び坪量は、第一領域４１Ｆ及び第二領域４１Ｒに後述する溝部４５が形成されている場合には、第一領域４１Ｆ及び第二領域４１Ｒにおける溝部４５が存在しない部分における厚み及び坪量を意味する。ナプキン１の吸収性コア４１は、コア材料の坪量に差を設けて厚み差を設けてあるため、坪量の均一な吸収性コアの一部を圧縮して厚み差を設ける場合とは異なり、吸収性コア４１は、全体として柔軟である。
【００２５】
中高部４２の厚みは、中高部４２を肌に向かって突出させて、吸収性コア４１の液の吸収性等を向上させる観点から、吸収性コア４１における第一領域４１Ｆ及び第二領域４１Ｒの厚みの、好ましくは１２０％（即ち、１．２倍）以上、より好ましくは１４０％以上であり、また、好ましくは、７００％以下、より好ましくは、５００％以下であり、また、着用時における身体への追従性や違和感を抑える観点から、好ましくは１２０％以上７００％以下、より好ましくは１４０％以上５００％以下である。また、中高部４２の厚みと第一領域４１Ｆ又は第二領域４１Ｒの厚みとの厚みの差（前者−後者）は、好ましくは１．０ｍｍ以上、より好ましくは２．０ｍｍ以上であり、また、好ましくは８．０ｍｍ以下、より好ましくは６．０ｍｍ以下であり、また、好ましくは１．０ｍｍ以上８．０ｍｍ以下、より好ましくは２．０ｍｍ以上６．０ｍｍ以下である。上述した構成は、本実施形態のナプキン１のように中高部４２が排泄対向区域Ｂに設けられているときに、特に有効である。
具体的に、中高部４２の厚みは、好ましくは２．０ｍｍ以上、より好ましくは３．０ｍｍ以上であり、また、好ましくは１０．０ｍｍ以下、より好ましくは７．０ｍｍ以下であり、また、好ましくは２．０ｍｍ以上１０．０ｍｍ以下、より好ましくは３．０ｍｍ以上７．０ｍｍ以下である。なお、中高部４２の全範囲において上記厚みの関係になっていることが好ましいが、中高部４２の厚み方向に増減が設けられているような場合においては、最も厚い部分において上記の関係となっていればよい。
なお、中高部４２の全範囲において上記厚みの関係になっていることが好ましいが、中高部４２の厚み方向において、横方向Ｙ又は縦方向Ｘ又は、その両方向に漸次的な厚み増減が設けられているような場合においては、最も厚い部分において上記の関係となっていればよい。
具体的に、第一領域４１Ｆ又は第二領域４１Ｒの厚みは、好ましくは０．５ｍｍ以上、より好ましくは１．０ｍｍ以上であり、また、好ましくは７．０ｍｍ以下、より好ましくは３．５ｍｍ以下であり、また、好ましくは０．５ｍｍ以上７．０ｍｍ以下、より好ましくは１．０ｍｍ以上３．５ｍｍ以下である。
ナプキン１では、第一領域４１Ｆ又は第二領域４１Ｒの厚みは、後述する溝部４５が存在しない部分において、略均一に形成されていることが好ましいが、第一領域４１Ｆ又は第二領域４１Ｒの横方向Ｙ又は縦方向Ｘに漸次的な厚みの増減が設けられているような場合においては、最も厚い部分において上記の関係となっていればよい。
中高部４２、第一領域４１Ｆ又は第二領域４１Ｒ、後述する中高隣接部４４等の吸収性コア４１の各部の厚みは、以下の方法によって測定される。
【００２６】
＜吸収性コア４１の各部の厚みの測定方法＞
吸収性コアを水平な場所にシワや折れ曲がりがないように静置し、該吸収性コア４１から測定対象物である中高部４２、第一領域４１Ｆ又は第二領域４１Ｒ等を切り出す。そして、切り出した測定対象物における５ｃＮ／ｃｍ2の荷重下での厚みを測定する。具体的には、厚みの測定に、例えば、厚み計 PEACOCK DIAL UPRIGHT GAUGES R5-C(OZAKI MFG.CO.LTD.製）を用いる。このとき、厚み計の先端部と切り出した測定対象物との間に、荷重が５ｃＮ／ｃｍ2となるように大きさを調整した平面視円形状又は正方形状のプレート（厚さ５ｍｍ程度のアクリル板）を配置して、厚みを測定する。吸収性コア４１における第一領域４１Ｆ又は第二領域４１Ｒ等の厚みを測定する際には、後述する溝部４５を含まないように測定する。
【００２７】
ナプキン１では、吸収性コア４１における中高部４２の坪量は、中高部４２を肌に向かって突出させ、排泄対向区域Ｂにおける吸収性コアの液の吸収性等を向上させる観点から、好ましくは１００ｇ／ｍ2以上、より好ましくは２００ｇ／ｍ2以上であり、そして、好ましくは１５００ｇ／ｍ2以下、より好ましくは１２００ｇ／ｍ2以下であり、具体的には、好ましくは１００ｇ／ｍ2以上１５００ｇ／ｍ2以下、より好ましくは２００ｇ／ｍ2以上１２００ｇ／ｍ2以下である。また、吸収性コア４１における第一領域４１Ｆの坪量又は第二領域４１Ｒの坪量は、好ましくは５０ｇ／ｍ2以上、より好ましくは１００ｇ／ｍ2以上であり、そして、好ましくは１０００ｇ／ｍ2以下、より好ましくは９００ｇ／ｍ2以下であり、具体的には、好ましくは５０ｇ／ｍ2以上１０００ｇ／ｍ2以下、より好ましくは１００ｇ／ｍ2以上９００ｇ／ｍ2以下である。第一領域４１Ｆの坪量又は第二領域４１Ｒの坪量は、上述した吸収性コア４１の各部の厚みの測定方法で説明したように切り出した第一領域４１Ｆ又は第二領域４１Ｒのサンプルの質量を、そのサンプルの肌対向面側の面の面積で除して求める。吸収性コア４１における中高部４２の坪量を測定する際には、後述する中高境界溝部４３及び後述する中高横溝部４７を含まないように測定する。また、吸収性コア４１における第一領域４１Ｆの坪量又は第二領域４１Ｒ等の坪量を測定する際には、後述する溝部４５を含まないように測定する。
【００２８】
中高部４２は、図２に示すように吸収性コア４１を平面視して、吸収性コア４１の縦方向Ｘと直交する横方向Ｙの全長に亘って延在し且つ吸収性コア４１の縦方向Ｘに沿う両側縁４１ｓ，４１ｓに従って縦方向Ｘに所定の長さに延在する中高中央部４２１、中高中央部４２１の縦方向Ｘの前端部から第一領域４１Ｆ側に向かって凸の１個の前方側凸部４２２、及び中高中央部４２１の縦方向Ｘの後端部から第二領域４１Ｒ側に向かって凸の１個の後方側凸部４２３を有している。即ち、ナプキン１では、中高部４２は、前方側凸部４２２、中高中央部４２１及び後方側凸部４２３に区分されている。
【００２９】
中高部４２の中高中央部４２１は、図２に示すように、吸収性コア４１の縦方向Ｘに沿う両側縁４１ｓ，４１ｓ間に亘って帯状に延在しており、中高中央部４２１の横方向Ｙの長さが、吸収性コア４１の幅と同一となっている。なお、ここで吸収性コア４１の幅とは、中高部４２を含めた吸収性コア４１の幅を意味する。吸収性コア４１は、吸収性物品が多少ズレた状態で着用されても、十分な吸収性能が発現できるように、中高中央部４２１の面積をできるかぎり広くすることが好ましく、中高中央部４２１は、吸収性コア４１の縦方向Ｘに沿う両側縁４１ｓ，４１ｓ間に亘って縦方向Ｘに一定の間隔であることが好ましく、両側縁４１ｓ，４１ｓはそれぞれ、縦方向Ｘに平行であり、且つ直線状となっていることがより好ましい。更に、ナプキン１の装着位置がズレた状態でも、十分な吸収性能を発現し、更にフィット性を向上させる観点より、吸収性コア４１は、その横方向Ｙの最大長さが、中高中央部４２１の横方向Ｙの最大長さと同一となっていることが、より一層好ましい。ただし、製造時における、吸収性コア４１における中高部４２の横方向Ｙの位置ズレ、中高部４２の欠け、生産方法に起因する型の抜き傾斜、端部の丸めや面取り等により、中高部４２の幅と吸収性コア４１の幅とが多少異なる程度、例えば、中高部４２の最大幅と吸収性コア４１の最大幅とが５％程度の幅の差の範囲であれば同一の幅とする。最大幅とは横方向Ｙにおける最も長い位置での距離を意味する。なお、ナプキン１においては、図２に示すように、中高部４２の横方向Ｙにおける最大幅（横方向Ｙの最大長さ）が、吸収性コア４１の中間領域４１Ｍにおける最大幅（横方向Ｙの最大長さ）と同じであり、吸収性コア４１の最大幅（横方向Ｙの最大長さ）と同じである。
【００３０】
中高部４２の中高中央部４２１は、ナプキン１では、図４に示すように断面視して、横方向Ｙの中央部から縦方向Ｘに沿う両側縁部に向かって、その高さが低くなるように形成されている。即ち、中高中央部４２１における縦方向Ｘに延びる中心線ＣＬ上に配された中央部が、最も高さが高く形成されている。このように中高中央部４２１が形成されていると、排泄対向区域Ｂにおける液の吸収性等を向上させることができる。
【００３１】
中高部４２の中高中央部４２１は、ナプキン１では、図４に示すように断面視して、横方向Ｙの中央部から縦方向Ｘに沿う両側縁部に向かって、その坪量が小さくなるように形成されている。即ち、中高中央部４２１における縦方向Ｘに延びる中心線ＣＬ上に配された中央部が、最も坪量が大きく形成されている。このように中高中央部４２１が形成されていると、排泄対向区域Ｂにおける液の吸収性等を向上させることができる。
【００３２】
ナプキン１の中高中央部４２１は、図４に示すように断面視して、中心線ＣＬ上に配された中央部の高さ（Ｔ１）の、最も高さの小さい側縁４１ｓでの高さ（Ｔ２）に対する比（Ｔ１／Ｔ２）は、排泄部に中高部が可能な限り隙間なく密着できる観点から、１．１以上、特に１．３以上であることが好ましく、また、着用時の違和感を与え難くする観点から、４以下、特に３以下であることが好ましく、具体的には、１．１以上４以下、特に１．３以上３以下であることが好ましい。
また、ナプキン１の中高中央部４２１は、ナプキン１に思わぬシワや折れを生じさせない観点から、少なくとも肌当接面側に、吸収性コア４１における第一領域４１Ｆ及び第二領域４１Ｒの坪量よりも坪量が低い凹部を有さない形態となっている。ここで、第一領域４１Ｆ及び第二領域４１Ｒの坪量とは、第一領域４１Ｆ及び第二領域４１Ｒが溝部４５を有する場合には、溝部４５を除いた部分の坪量を意味する。
【００３３】
また、中高部４２の前方側凸部４２２は、図２に示すように、中高中央部４２１の前端部に１個配されている。ナプキン１では、前方側凸部４２２は、前方側凸部４２２の頂部４２２ｔが縦方向Ｘに延びる中心線ＣＬ上に配されており、前方側凸部４２２を形成する両側辺４２２ｓ，４２２ｓが、それぞれ、頂部４２２ｔから吸収性コア４１の縦方向Ｘに沿う側縁４１ｓに亘って直線形状に延びている。
【００３４】
また、中高部４２の後方側凸部４２３は、図２に示すように、中高中央部４２１の後端部に１個配されている。後方側凸部４２３は、前方側凸部４２２と同様に、後方側凸部４２３の頂部４２３ｔが縦方向Ｘに延びる中心線ＣＬ上に配されており、後方側凸部４２３を形成する両側辺４２３ｓ，４２３ｓが、それぞれ、頂部４２３ｔから吸収性コア４１の縦方向Ｘに沿う側縁４１ｓに亘って直線形状に延びている。
【００３５】
ナプキン１では、図２に示すように吸収性コア４１を平面視して、前方側凸部４２２は中高中央部４２１から第一領域４１Ｆ側に向かって横方向Ｙの長さが漸次狭くなっており、後方側凸部４２３は中高中央部４２１から第二領域４１Ｒ側に向かって横方向Ｙの長さが漸次狭くなっている。即ち、吸収性コア４１における前方側凸部４２２及び後方側凸部４２３は、それぞれ、縦方向Ｘに沿う両側部から横方向Ｙの中央部に位置する頂部４２２ｔ，４２３ｔに向かって、その幅ｄが漸減するように形成されている。好適に、ナプキン１の吸収性コア４１における前方側凸部４２２では、両側辺４２２ｓ，４２２ｓの間隔（幅ｄ）が、吸収性コア４１の縦方向Ｘに沿う両側縁４１ｓ，４１ｓから頂部４２２ｔに向かって漸減している。同様に、ナプキン１の吸収性コア４１における後方側凸部４２３では、両側辺４２３ｓ，４２３ｓの間隔（幅ｄ）が、吸収性コア４１の縦方向Ｘに沿う両側縁４１ｓ，４１ｓから頂部４２３ｔに向かって漸減している。ここで、幅ｄが漸減しているとは、頂部４２２ｔ，４２３ｔに向って幅ｄが連続的に少しずつ減少していることである。
【００３６】
ナプキン１における吸収性コア４１では、前方側凸部４２２及び後方側凸部４２３の内の前方側凸部４２２を例に挙げて説明すると、両側辺４２２ｓ，４２２ｓがそれぞれ屈曲せずに真っ直ぐに延びている。一方の側辺４２２ｓと縦方向Ｘに延びる中心線ＣＬとのなす角αは、身体形状へのフィット性及び動きの中での追従性向上の観点から、好ましくは２０°以上、より好ましくは３０°以上であり、そして、好ましくは７５°以下、より好ましくは６０°以下であり、具体的には、好ましくは２０°以上７５°以下、より好ましくは３０°以上６０°以下である。後方側凸部４２３も前方側凸部４２２と同様である。
【００３７】
中高部４２の縦方向Ｘの全長Ｌ２は、吸収性コア４１の縦方向Ｘの全長Ｌ１の、好ましくは２５％以上、より好ましくは３０％以上であり、また、好ましくは９０％以下、より好ましくは７５％以下であり、また、好ましくは２５％以上９０％以下、より好ましくは３０％以上７５％以下である。
なお、全長Ｌ１とは吸収性コア４１の縦方向Ｘにおける最も長い位置での距離を示し、全長Ｌ２とは中高部４２の縦方向Ｘにおける最も長い位置での距離を意味する。
【００３８】
中高部４２を構成する中高中央部４２１の縦方向Ｘの全長Ｌ３は、中高部４２の全長Ｌ２の好ましくは２０％以上、より好ましくは３０％以上であり、また、好ましくは９０％以下、より好ましくは８０％以下であり、また、好ましくは２０％以上９０％以下、より好ましくは３０％以上８０％以下である。
【００３９】
中高部４２を構成する前方側凸部４２２の縦方向Ｘの全長Ｌ４は、中高部４２の全長Ｌ２の、好ましくは５％以上、より好ましくは１０％以上であり、また、好ましくは５０％以下、より好ましくは３０％以下であり、また、好ましくは、５％以上５０％以下、より好ましくは１０％以上３０％以下である。中高部４２を構成する後方側凸部４２３の縦方向Ｘ全長も、前方側凸部４２２の縦方向Ｘの全長Ｌ４と同様である。
なお、全長Ｌ４とは前方側凸部４２２の縦方向Ｘにおける最も長い位置での距離を意味する。
【００４０】
ナプキン１では、図２に示すように吸収性コア４１を平面視して、着用時に着用者の液排泄部（膣口等）に対向配置される排泄対向区域Ｂの吸収面を確保する観点から、中高中央部４２１の表面積Ｓ１が、前方側凸部４２２の表面積Ｓ２及び後方側凸部４２３の表面積Ｓ３それぞれよりも大きく形成されていることが好ましい。ここで各部位の表面積は、肌対向面側の面の面積を意味する。中高中央部４２１の表面積Ｓ１は、吸収性コア４１の排泄対向区域Ｂの吸収面を確保する観点から、前方側凸部４２２の表面積Ｓ２或いは後方側凸部４２３の表面積Ｓ３の、好ましくは１００％（即ち、１倍）以上、より好ましくは１６０％以上であり、また、好ましくは、３６００％以下、より好ましくは、２０００％以下であり、具体的には、好ましくは１００％以上３６００％以下、より好ましくは１６０％以上２０００％以下である。
好適に、中高中央部４２１の表面積Ｓ１は、好ましくは２０ｃｍ2以上、より好ましくは３０ｃｍ2以上であり、また、好ましくは２００ｃｍ2以下、より好ましくは１５０ｃｍ2以下であり、具体的に、好ましくは２０ｃｍ2以上２００ｃｍ2以下、より好ましくは３０ｃｍ2以上１５０ｃｍ2以下である。
前方側凸部４２２の表面積Ｓ２或いは後方側凸部４２３の表面積Ｓ３は、好ましくは５ｃｍ2以上、より好ましくは１０ｍ2以上であり、また、好ましくは４０ｃｍ2以下、より好ましくは３０ｃｍ2以下であり、具体的に、好ましくは５ｃｍ2以上５０ｃｍ2以下、より好ましくは１０ｃｍ2以上４０ｃｍ2以下である。
【００４１】
ナプキン１では、図２に示すように、吸収性コア４１は、中間領域４１Ｍに中高部４２と中高部４２以外の部分との境界を区画する中高境界溝部４３を有している。中高境界溝部４３は、ナプキン１では、中高部４２を構成する前方側凸部４２２を形成する両側辺４２２ｓ，４２２ｓに沿って延在する前方中高境界溝部４３ａと、後方側凸部４２３を形成する両側辺４２３ｓ，４２３ｓに沿って延在する後方中高境界溝部４３ｃとを有している。ナプキン１では、前方中高境界溝部４３ａ及び後方中高境界溝部４３ｃは、吸収性コア４１の横方向Ｙの全長（全幅）に亘り配されている。このため、脚部からの吸収性コア４１の幅方向の内側に働く力に対し、ナプキン１の縦方向に縦シワが生じ難く、ナプキン１が身体の形状に沿って３次元的にフィットし易くなる。このように、吸収性コア４１では、前方中高境界溝部４３ａと後方中高境界溝部４３ｃとによって中高部４２との境界を区画している。
【００４２】
ナプキン１では、吸収性コア４１における中高境界溝部４３の溝幅は、排泄対向区域Ｂにおける液の吸収性等を向上させる観点から、好ましくは、０．１ｍｍ以上、より好ましくは、０．５ｍｍ以上であり、また、好ましくは、５．０ｍｍ以下、より好ましくは、３．０ｍｍ以下であり、また、好ましくは０．１ｍｍ以上５．０ｍｍ以下、より好ましくは、０．５ｍｍ以上３．０ｍｍ以下である。尚、中高境界溝部４３の溝幅及び後述する厚みは、中高境界溝部４３の延びる方向に直交する方向に切断し、切端面の写真から計測する。
ナプキン１では、吸収性コア４１における中高境界溝部４３での厚みは、排泄対向区域Ｂにおける液の吸収性等を向上させる観点から、好ましくは、０．０８ｍｍ以上、より好ましくは、０．１５ｍｍ以上、また、好ましくは、７．０ｍｍ以下、より好ましくは、３．５ｍｍ以下であり、また、好ましくは、０．０８ｍｍ以上、７．０ｍｍ以下、より好ましくは、０．１５ｍｍ以上３．５ｍｍ以下である
【００４３】
ナプキン１では、中高境界溝部４３は、中高部４２の坪量よりも低く、更に、吸収性コア４１における第一領域４１Ｆの坪量及び第二領域４１Ｒの坪量よりも坪量が低く形成されている。ここで、第一領域４１Ｆの坪量及び第二領域４１Ｒの坪量とは、溝部４５を有する場合には、溝部４５を除いた部分の坪量を意味する。中高境界溝部４３の坪量は、好ましくは１０ｇ／ｍ2以上、より好ましくは２０ｇ／ｍ2以上であり、そして、好ましくは３５０ｇ／ｍ2以下、より好ましくは２５０ｇ／ｍ2以下であり、具体的には、好ましくは１０ｇ／ｍ2以上３５０ｇ／ｍ2以下、より好ましくは２０ｇ／ｍ2以上２５０ｇ／ｍ2以下である。尚、中高境界溝部４３の坪量は、上述した吸収性コア４１の各部の厚みの測定方法で説明したように切り出した中高境界溝部４３の部分のサンプルの質量を、そのサンプルの肌対向面側の面の面積で除して求める。
【００４４】
中高部４２は、図２に示すように吸収性コア４１を平面視して、前方側凸部４２２及び後方側凸部４２３の少なくとも一方に、横方向Ｙに延びる中高横溝部４７を有していればよいところ、ナプキン１では、前方側凸部４２２に前方中高横溝部４７ａを有し、後方側凸部４２３に後方中高横溝部４７ｃを有している。ここで、中高横溝部４７は横方向Ｙに延びていれば、連続する直線状に延びていても、間欠的に配された不連続線状に延びていてもよく、曲線状に延びていてもよい。ナプキン１の中高横溝部４７である前方中高横溝部４７ａ及び後方中高横溝部４７ｃは、何れも、連続する直線状に延びている。また、中高横溝部４７が横方向Ｙに延びているとは、横方向Ｙに延びる吸収性コア４１の二等分線とのなす角が４５度未満の範囲で延びることを意味しており、ナプキン１では、前方中高横溝部４７ａ及び後方中高横溝部４７ｃの何れも、該二等分線に平行に延びている。
【００４５】
ナプキン１では、中高横溝部４７の一端が、中高境界溝部４３に接していることが好ましいが、図２に示すように、中高横溝部４７の両端が、中高境界溝部４３における異なる部分に接している。好適には、前方中高横溝部４７ａが前方側凸部４２２の両側辺４２２ｓ，４２２ｓに亘って延び、前方中高横溝部４７ａの両端が、両側辺４２２ｓ，４２２ｓに沿って延在する前方中高境界溝部４３ａと異なる部分で接している。同様に、後方中高横溝部４７ｃが後方側凸部４２３の両側辺４２３ｓ，４２３ｓに亘って延び、後方中高横溝部４７ｃの両端が、両側辺４２３ｓ，４２３ｓに沿って延在する後方中高境界溝部４３ｃと異なる部分で接している。
【００４６】
中高横溝部４７は、前方側凸部４２２及び後方側凸部４２３の一方に、少なくとも１本配されていればよいが、１本以上１０本以下配されていることが好ましく、２本以上５本以下配されていることが更に好ましい。ナプキン１では、前方中高横溝部４７ａが前方側凸部４２２に２本配されており、各前方中高横溝部４７ａが、前方側凸部４２２の両側辺４２２ｓ，４２２ｓに亘って、横方向Ｙに延びる吸収性コア４１の二等分線に平行に延びている。また、後方中高横溝部４７ｃが後方側凸部４２３に２本配されており、各後方中高横溝部４７ｃが、後方側凸部４２３の両側辺４２３ｓ，４２３ｓに亘って、前記二等分線に平行に延びている。
【００４７】
ナプキン１では、前方側凸部４２２に前方中高横溝部４７ａが配されており、後方側凸部４２３に後方中高横溝部４７ｃが配されており、前方中高横溝部４７ａと後方中高横溝部４７ｃとの間に、リング状の全周溝を形成する前方区域Ａの第１横圧搾溝７１、一方の縦圧搾溝７３、後方区域Ｃの第１横圧搾溝７１、及び他方の縦圧搾溝７３とは独立した一対の第２縦圧搾溝７３Ａ，７３Ａが配されている。尚、ナプキン１のように、前方側凸部４２２に前方中高横溝部４７ａが複数本配され、後方側凸部４２３に後方中高横溝部４７ｃが複数本配されている場合には、ナプキン１の横方向Ｙに延びる中心線（不図示）に最も近く存在する前方中高横溝部４７ａと後方中高横溝部４７ｃとの間に、一対の第２縦圧搾溝７３Ａ，７３Ａが配されていることが好ましい。このような位置に一対の第２縦圧搾溝７３Ａ，７３Ａが配されていると、中高部４２における前方中高横溝部４７ａ及び後方中高横溝部４７ｃの影響を受け難く、吸収体４の平面方向への体液の拡散を抑制して、ナプキン１の周囲から液漏れを効果的に防止することができる。
【００４８】
ナプキン１は、横方向Ｙ両外側に一対のウイング部１Ｗ，１Ｗを備えている。そして、ナプキン１では、一対のウイング部１Ｗ，１Ｗにおける前方区域Ａ側に位置する付け根どうしを結ぶ前方側仮想線ＩＬａの位置と前方側凸部４２２の前方中高横溝部４７ａの位置とが一致しており、一対のウイング部１Ｗ，１Ｗにおける後方区域Ｃ側に位置する付け根どうしを結ぶ後方側仮想線ＩＬｃの位置と後方側凸部４２３の後方中高横溝部４７ｃの位置とが一致している。尚、ナプキン１のように、前方側凸部４２２に前方中高横溝部４７ａが複数本配されている場合には、その内の１本の前方中高横溝部４７ａの位置が前方側仮想線ＩＬａの位置と一致していればよい。同様に、ナプキン１のように、後方側凸部４２３に後方中高横溝部４７ｃが複数本配されている場合には、その内の１本の後方中高横溝部４７ｃの位置が後方側仮想線ＩＬｃの位置と一致していればよい。このように、前方側仮想線ＩＬａの位置と前方中高横溝部４７ａの位置とが一致し、後方中高横溝部４７ｃの位置と後方側仮想線ＩＬｃの位置とが一致していると、着用時のナプキン１のフィット性が向上する。
【００４９】
ナプキン１では、吸収性コア４１の中高部４２における中高横溝部４７の溝幅は、排泄液の吸収性と身体へのフィット性、吸収体の耐久性等の観点から、中高境界溝部４３の溝幅と同じか狭いことが好ましく、具体的に、好ましくは、０．１ｍｍ以上、より好ましくは、０．５ｍｍ以上であり、また、好ましくは、５．０ｍｍ以下、より好ましくは、３．０ｍｍ以下であり、また、好ましくは０．１ｍｍ以上５．０ｍｍ以下、より好ましくは、０．５ｍｍ以上３．０ｍｍ以下である。尚、中高横溝部４７の溝幅及び後述する厚みは、中高横溝部４７の延びる方向に直交する方向に切断し、切端面の写真から計測する。
ナプキン１では、吸収性コア４１の中高部４２における中高横溝部４７での厚みは、排泄液の吸収性能の観点から、中高境界溝部４３での厚みと同じか、高いことが好ましく、具体的に、好ましくは、０．０８ｍｍ以上、より好ましくは、０．１５ｍｍ以上であり、また、好ましくは、１０.０ｍｍ以下、より好ましくは、８．０ｍｍ以下であり、また、好ましくは０．０８ｍｍ以上１０．０ｍｍ以下、より好ましくは、０．１５ｍｍ以上８．０ｍｍ以下である。
【００５０】
ナプキン１では、吸収性コア４１の中高部４２における中高横溝部４７の坪量は、身体へのフィット性と吸収性能の観点から、中高部４２の坪量よりも低いことが好ましく、溝部４５の坪量よりも高いことが好ましい。具体的に、中高横溝部４７の坪量は、好ましくは１０ｇ／ｍ2以上、より好ましくは２０ｇ／ｍ2以上であり、そして、好ましくは８００ｇ／ｍ2以下、より好ましくは６００ｇ／ｍ2以下であり、具体的には、好ましくは１０ｇ／ｍ2以上８００ｇ／ｍ2以下、より好ましくは２０ｇ／ｍ2以上６００ｇ／ｍ2以下である。尚、中高横溝部４７の坪量は、上述のように切り出した中高横溝部４７の部分のサンプルの質量を、そのサンプルの肌対向面側の面の面積で除して求める。
【００５１】
ナプキン１では、吸収性コア４１は、図２に示すように、その中間領域４１Ｍにおける中高部４２を除き、更に、中高境界溝部４３を除く領域に、中高隣接部４４を有している。即ち、ナプキン１では、吸収性コア４１における中間領域４１Ｍが、中高部４２、中高境界溝部４３及び中高隣接部４４からなっている。中高隣接部４４は、中間領域４１Ｍにおいて、中高部４２を構成する前方側凸部４２２に隣接する第一領域４１Ｆ側に配された前方中高隣接部４４ａと、中高部４２を構成する後方側凸部４２３に隣接する第二領域４１Ｒ側に配された後方中高隣接部４４ｃとを有している。ナプキン１では、前方中高隣接部４４ａは、縦方向Ｘに延びる中心線ＣＬに対して左右対称に形成されている。前方中高隣接部４４ａにおける、中心線ＣＬよりも吸収性コア４１の縦方向Ｘに沿う一方の側縁４１ｓ側の半分の部分は、縦方向Ｘの長さが、該一方の側縁４１ｓから中心線ＣＬに向かって漸減するように形成されている。ナプキン１では、後方中高隣接部４４ｃも、前方中高隣接部４４ａと同様に、縦方向Ｘに延びる中心線ＣＬに対して左右対称に形成されている。後方中高隣接部４４ｃにおける、中心線ＣＬよりも吸収性コア４１の縦方向Ｘに沿う一方の側縁４１ｓ側の半分の部分は、縦方向Ｘの長さが、該一方の側縁４１ｓから中心線ＣＬに向かって漸減するように形成されている。
【００５２】
ナプキン１では、中高隣接部４４は、図３に示すように、その厚みが、中高境界溝部４３及び中高横溝部４７での厚みよりも大きく、且つ、吸収性コア４１における中高部４２の厚みよりも小さく形成されている。更には、身体の動きへの追従性の観点からは、中高隣接部４４は、その厚みが、第一領域４１Ｆの厚み及び第二領域４１Ｒの厚みと同じか小さくなっていることが好ましい。尚、身体の動きに対し、繰り返し変形した際の吸収性コア４１の強度の観点から、中高隣接部４４は、その厚みが、第一領域４１Ｆの厚み及び第二領域４１Ｒの厚みより大きくなっていてもよい。
中高隣接部４４の厚みは、好ましくは０．５ｍｍ以上、より好ましくは１．０ｍｍ以上であり、また、好ましくは１０．０ｍｍ以下、より好ましくは７．０ｍｍ以下であり、また、好ましくは０．５ｍｍ以上１０．０ｍｍ以下、より好ましくは１．０ｍｍ以上７．０ｍｍ以下である。
中高隣接部４４の厚みは、上述した吸収性コア４１の各部の厚みの測定方法に基づいて測定される。
【００５３】
ナプキン１では、中高隣接部４４は、その坪量が、吸収性コア４１の中高部４２の坪量より小さく、且つ、中高境界溝部４３及び中高横溝部４７の坪量よりも大きく形成されている。更には、身体の動きへの追従性の観点からは、中高隣接部４４は、その坪量が、吸収性コア４１における第一領域４１Ｆの坪量及び第二領域４１Ｒの坪量と同じか小さくなっていることが好ましい。尚、身体の動きに対し、繰り返し変形した際の吸収性コア４１の強度の観点から、中高隣接部４４は、その坪量が、第一領域４１Ｆの坪量及び第二領域４１Ｒの坪量よりも大きくなっていてもよい。ここで、第一領域４１Ｆの坪量及び第二領域４１Ｒの坪量とは、溝部４５を有する場合には、溝部４５を除いた部分の坪量を意味する。中高隣接部４４の坪量は、好ましくは２０ｇ／ｍ2以上、より好ましくは５０ｇ／ｍ2以上であり、そして、好ましくは８００ｇ／ｍ2以下、より好ましくは７００ｇ／ｍ2以下であり、具体的には、好ましくは２０ｇ／ｍ2以上８００ｇ／ｍ2以下、より好ましくは５０ｇ／ｍ2以上７００ｇ／ｍ2以下である。尚、中高隣接部４４の坪量は、上述した吸収性コア４１の各部の厚みの測定方法で説明したように切り出した中高隣接部４４のサンプルの質量を、そのサンプルの肌対向面側の面の面積で除して求める。
【００５４】
ナプキン１では、図２に示すように、吸収性コア４１を平面視して、第一領域４１Ｆ及び第二領域４１Ｒには、縦方向Ｘ及び横方向Ｙに延びる溝部４５と、溝部４５によって区画化されて形成された複数の小吸収部４６とが配されている。このように配された小吸収部４６は、その坪量が、溝部４５の坪量よりも高くなっている。第一領域４１Ｆ及び第二領域４１Ｒに配された溝部４５は、縦方向Ｘに延びる縦溝４５Ｘと、横方向Ｙに延びる横溝４５Ｙとからなる。そして、縦方向Ｘに延びる縦溝４５Ｘは、横方向Ｙに一定の間隔を空けて配され、横方向Ｙに延びる横溝４５Ｙは、縦方向Ｘに一定の間隔を空けて配されている。小吸収部４６は、縦溝４４Ｙ及び横溝４４Ｘで区画された格子の目の位置に配されている。上述した第一領域４１Ｆ及び第二領域４１Ｒの厚み及び坪量とは、小吸収部４６の厚み及び坪量を意味する。
【００５５】
ナプキン１では、第一領域４１Ｆ及び第二領域４１Ｒに溝部４５及び小吸収部４６を有し、中間領域４１Ｍに中高部４２、中高境界溝部４３、中高横溝部４７及び中高隣接部４４を有する吸収性コア４１は、その全体が一体成形されている。「一体成形されている」とは、別の工程で製造した部材どうしを接着剤や圧縮などの接合手段で結合したものとは異なり、同一の材料を用いて、一つの工程で一体的に形成されていることを意味する。
【００５６】
上述したナプキン１の吸収性コア４１は、例えば、図５（ａ）に示すように、外周面に集積用凹部５５を備え、一方向Ｒに回転する積繊ドラム５４と、該積繊ドラム５４の外周面に、コア材料を飛散状態で供給するダクト（図示せず）を備えた積繊装置を用いて製造することができる。
集積用凹部５５は、積繊ドラム５４の外周面の周方向に一定の間隔で複数個形成されている。集積用凹部５５の底面５６は、メッシュプレート等からなり、吸引孔として機能する多数の細孔を有している。
【００５７】
また、図５（ａ）に示すように、１個の集積用凹部５５の底面５６の一部には、吸収性コア４１の中間領域４１Ｍを形成するための１つの凹部５６ｂが形成されている。また、凹部５６ｂには、その底面に、中高部４２と中高隣接部４４とを区分する中高境界溝部４３を形成するための第１難通気性部材５７が配置され、中高横溝部４７を形成するための第３難通気性部材５９が配置されている。第１難通気性部材５７は、中高境界溝部４３に対応する位置に配され、凹部５６ｂの底面から突出するように固定されている。第３難通気性部材５９は、中高横溝部４７に対応する位置に配され、凹部５６ｂの底面から突出するように固定されている。また、凹部５６ｂに隣接する回転方向Ｒの上流側領域及び下流側領域の底面５６には、溝部４５を形成するための第２難通気性部材５８が配置されている。第２難通気性部材５８は、縦溝４４Ｙ及び横溝４４Ｘに対応する位置に配され、集積用凹部５５の底面５６から突出するように固定されている。第１難通気性部材５７、第２難通気性部材５８及び第３難通気性部材５９は、非通気性部材であっても良く、例えば金属やプラスチック、セラミック等からなる。
【００５８】
積繊ドラムを備えた公知の積繊装置と同様に、集積用凹部５５の底面から吸引しつつ、ダクト内に、吸水性ポリマーとパルプ繊維とを混合したコア材料を供給することによって、図５（ｂ）に示すように、コア材料が集積用凹部５５内に所定形状に堆積する。その堆積物４０を、集積用凹部５５から離型することで、吸収性コア４１の前駆体が得られる。吸収性コア４１の前駆体は、コアラップシート（不図示）で被覆された後に、ロータリーカッター等でカットされ、搬送方向にベルトコンベア等の搬送手段によって搬送される。このようにして吸収性コア４１が得られる。このようにして得られたコアラップシート（不図示）で被覆された吸収性コア４１は、一対のロール間に単回又は複数回通すこと等により、全体又は部分的に加圧し適度に圧縮させる。これにより、凹部５６ｂに堆積した部分が、坪量及び厚みともに相対的に大きい中高部４２となる。同様に、凹部５６ｂに隣接する上流側領域及び下流側領域に堆積したコア材料からなる部分が、坪量が相対的に小さい吸収性コア４１における第一領域４１Ｆ及び第二領域４１Ｒとなる。また、凹部５６ｂの第１難通気性部材５７上に堆積したコア材料からなる部分が、第一領域４１Ｆの坪量及び第二領域４１Ｒの坪量よりも相対的に小さい中高境界溝部４３となる。また、凹部５６ｂの第３難通気性部材５９上に堆積したコア材料からなる部分が、第一領域４１Ｆの坪量及び第二領域４１Ｒの坪量よりも相対的に小さい中高横溝部４７となる。凹部５６ｂに隣接する上流側領域及び下流側領域の第２難通気性部材５８上に堆積したコア材料からなる部分が、小吸収部４６の坪量よりも相対的に小さい溝部４５となる。
【００５９】
上述した本実施形態のナプキン１の各構成部材の形成材料について説明する。
肌対向面を形成する肌側シート２は、液透過性を有し、熱可塑性合成樹脂を含む素材で構成され、例えば、エアースルー繊維不織布、スパンボンド不織布、ポイントボンド不織布等の繊維不織布を好適に用いることができる。熱可塑性樹脂の例として、エチレン、プロピレン等のオレフィン系ポリマー、又は、ポリエチレンテレフタレートが挙げられるが、これらに限定されるものではない。肌側シート２は、例えば、坪量が１０〜１００ｇ／ｍ2であり、厚さが０．５〜５．０ｍｍであることが好ましい。また、肌側シート２は、当該技術分野において従来用いられてきたものと同様のものを特に制限なく用いることができ、穿孔フィルム等を用いることもできる。
【００６０】
非肌側シート３は、難透液性又は、不透過性を有し、熱可塑性合成樹脂を含む素材で構成され、例えば、合成樹脂製フィルム、合成樹脂製フィルムと不織布の積層体や、スパンボンド−メルトブローン−スパンボンド積層繊維不織布、エアースルー繊維不織布、ポイントボンド繊維不織布、スパンボンド繊維不織布等の耐水圧が高い撥水性の不織布を用いることができるが、これらに限定されるものではなく、当該技術分野において従来用いられてきたものと同様のものを特に制限なく用いることができる。非肌側シート３は、例えば、坪量が１０〜５０ｇ／ｍ2であり、厚さが、８〜２００μｍであることが好ましい。
【００６１】
吸収性コア４１のコア材料は、パルプ繊維等の繊維材料からなる繊維集合体を含んでなる。繊維材料としては、従来、生理用ナプキンやパンティライナー、使い捨ておむつ等の吸収性物品の吸収体に用いられている各種のものを特に制限なく用いることができ、例えば、パルプ繊維、レーヨン繊維、コットン繊維等のセルロース系繊維の短繊維や、ポリエチレン等の合成繊維の短繊維等が用いられる。これらの繊維は、１種を単独で又は２種以上を組み合わせて用いることができる。また、繊維材料は、全体又は一部がパルプ繊維であることが好ましく、繊維材料中のパルプ繊維の割合は５０〜１００質量％であることが好ましく、より好ましくは８０〜１００質量％であり、更に好ましくは１００質量％である。
また、吸収性コア４１には吸水性ポリマーが含有されていてもよい。吸水性ポリマーとしては、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等が挙げられる。吸水性ポリマーが含有されることで、より安定的に大量の血液などの排泄液を素早く吸収し、保持することができる。また、吸収性コア４１には、消臭剤や抗菌剤等を必要に応じて配合しても良い。
【００６２】
吸収性コア４１を被覆するコアラップシート（不図示）としては、ティッシュペーパー、透水性の不織布等が挙げられる。吸収体４は、吸収性コア４１の上下両面をコアラップシート（不図示）で被覆して形成されている。コアラップシート（不図示）は、吸収性コア４１の形成材料の漏れ出しを防止したり、吸収性コア４１の保形性を高めたりする目的で使用される。吸収性コア４１の肌対向面側を被覆するコアラップシート（不図示）と肌側シート２との間、及び吸収性コア４１の非肌対向面側を被覆するコアラップシート（不図示）と非肌側シート３との間は、ドット、スパイラル、ストライプ等のパターン塗工された接着剤により互いに接合されていることが好ましい。
【００６３】
サイドシート５としては、当該技術分野において従来用いられている各種のものを特に制限なく用いることができ、例えば、液不透過性又は撥水性の樹脂フィルム、樹脂フィルムと不織布との積層体等を用いることができる。その他の材料としては、例えば、スパンボンド不織布、スパンボンド不織布（Ｓ）とメルトブロー不織布（Ｍ）とが複合化されたシート（例えばＳＭ、ＳＭＳ、ＳＭＭＳ等）、ヒートロール不織布、エアースルー不織布等の撥水性（疎水性）不織布が挙げられる。
【００６４】
サイドシート５と肌側シート２とを接合する接合部６は熱シール加工により常法に従って形成することができる。
線状圧搾溝７（第１横圧搾溝７１、第２横圧搾溝７２、縦圧搾溝７３及び第２縦圧搾溝７３Ａ）は、熱を伴うか又は伴わない圧搾加工（いわゆるエンボス加工）、あるいは超音波エンボス等のエンボス加工により常法に従って形成することができる。
【００６５】
上述した本実施形態のナプキン１の作用効果について説明する。
ナプキン１は、図１〜図２に示すように、吸収性コア４１における中間領域４１Ｍに厚みが厚く且つ坪量の高い中高部４２を有し、中高部４２は、図２に示すように、吸収性コア４１を平面視して、横方向Ｙの全長に亘って延在する中高中央部４２１と、中高中央部４２１の縦方向Ｘの前端部から第一領域４１Ｆ側に向かって凸の前方側凸部４２２と、中高中央部４２１の縦方向Ｘの後端部から第二領域４１Ｒ側に向かって凸の後方側凸部４２３とを有している。その為、吸収性物品であるナプキン１が多少ズレた状態で着用されても、体液の吸収性能を十分に発揮できる。そして、前方側凸部４２２及び後方側凸部４２３の少なくとも一方には、中高横溝部４７を有している。その為、中高横溝部４７を有する前方側凸部４２２又は後方側凸部４２３が、身体形状への追従性に優れることで着用者に違和感を与え難く、着用者の肌との間に隙間を生じ難く、十分な吸収性能が発現できる。このように、ナプキン１は、多少ズレた状態で着用されても、身体形状へのフィット性に優れ、十分な吸収性能が発現できる。
【００６６】
また、ナプキン１は、図２に示すように、吸収性コア４１における中間領域４１Ｍに中高部４２と、中高部４２以外の部分を区画する坪量の低い中高境界溝部４３を有している。そして、中高横溝部４７の一端が、中高境界溝部４３に接している。その為、ナプキン１の着用時に、中高横溝部４７に起因して、前方側凸部４２２又は後方側凸部４２３が曲がり易く、身体形状への追従性に更に優れ、着用者の肌との間に隙間を生じ難く、十分な吸収性能が発現できる。特に、ナプキン１では、中高横溝部４７が、前方側凸部４２２に前方中高横溝部４７ａを有し、後方側凸部４２３に後方中高横溝部４７ｃを有している。その為、ナプキン１の着用時に、中高横溝部４７に起因して、前方側凸部４２２及び後方側凸部４２３が曲がり易く、身体形状への追従性に更に優れ、十分な吸収性能が発現できる。また、ナプキン１では、図２に示すように、前方中高横溝部４７ａが前方側凸部４２２の両側辺４２２ｓ，４２２ｓに亘って延び、前方中高横溝部４７ａの両端が、両側辺４２２ｓ，４２２ｓに沿って延在する前方中高境界溝部４３ａと異なる部分で接している。同様に、後方中高横溝部４７ｃが後方側凸部４２３の両側辺４２３ｓ，４２３ｓに亘って延び、後方中高横溝部４７ｃの両端が、両側辺４２３ｓ，４２３ｓに沿って延在する後方中高境界溝部４３ｃと異なる部分で接している。その為、ナプキン１の着用時に、中高横溝部４７に起因して、前方側凸部４２２及び後方側凸部４２３が更に曲がり易く、身体形状への追従性に更に優れ、十分な吸収性能が発現できる。
【００６７】
また、ナプキン１においては、図２に示すように、前方側凸部４２２は中高中央部４２１から第一領域４１Ｆ側に向かって横方向Ｙの長さが漸次狭くなっており、後方側凸部４２３は中高中央部４２１から第二領域４１Ｒ側に向かって横方向Ｙの長さが漸次狭くなっている。その為、ナプキン１の着用時に、中高部４２の前方側凸部４２２及び後方側凸部４２３の対応部分が隙間に入り込み易く、身体形状への追従性に更に優れている。また、ナプキン１は、図２に示すように、吸収性コア４１における第一領域４１Ｆ及び第二領域４１Ｒに、溝部４５及び小吸収部４６を有しているので、溝部４５を起点に折れ曲り易く、着用者に違和感を与え難くなっている。
【００６８】
また、ナプキン１は、図２に示すように、吸収性コア４１における中間領域４１Ｍに、中高部４２を構成する前方側凸部４２２に隣接する第一領域４１Ｆ側に配された前方中高隣接部４４ａと、中高部４２を構成する後方側凸部４２３に隣接する第二領域４１Ｒ側に配された後方中高隣接部４４ｃとを有している。そして、中高隣接部４４の厚みが、吸収性コア４１における第一領域４１Ｆの厚み及び第二領域４１Ｒの厚み以下の大きさであり、且つ、中高部４２の厚みよりも小さく形成されている。その為、ナプキン１が多少ズレた状態で着用されても、着用者の肌との間に隙間を生じ難く、十分な吸収性能が発現できる。ナプキン１では、中高隣接部４４の坪量が、吸収性コア４１における第一領域４１Ｆの坪量及び第二領域４１Ｒの坪量より小さく、且つ、中高境界溝部４３の坪量よりも大きく形成されているので、前記効果のうち、着用者への違和感を低減する効果をより一層奏することができる。
【００６９】
尚、特にナプキン１を長時間にわたり装着する場合などで、身体の動きにより、ナプキン１が繰り返し変形することで、中高隣接部４４が破損して吸収性能を損なうおそれがある場合には、中高隣接部４４の厚みは、吸収性コア４１における第一領域４１Ｆ及び第二領域４１Ｒの厚みより大きくなっていてもよい。
更に、身体の動きより、繰り返し変形することで、中高隣接部４４が破損して吸収性能を損なう場合には、中高隣接部４４の坪量は、吸収性コア４１における第一領域４１Ｆ及び第二領域４１Ｒの坪量より大きくなっていてもよい。
【００７０】
以上、本発明をその好ましい実施形態に基づき説明したが、本発明の吸収性物品は本実施形態のナプキン１に何ら制限されるものではなく、適宜変更可能である。
【００７１】
例えば、ナプキン１の吸収性コア４１における前方側凸部４２２では、図２に示すように、両側辺４２２ｓ，４２２ｓがそれぞれ屈曲せずに、吸収性コア４１の縦方向Ｘに沿う側縁４１ｓから頂部４２２ｔに向かって真っ直ぐに直線状に延びており、前方側凸部４２２の幅ｄが、吸収性コア４１の縦方向Ｘに沿う側縁４１ｓから頂部４２２ｔに向かって連続的に漸減しているが、前方側凸部４２２の幅ｄが単に漸減していれば、段階的に漸減していてもよい。前方側凸部４２２が真っ直ぐに直線状に延びており、前方側凸部４２２の幅ｄが、吸収性コア４１の縦方向Ｘに沿う両側縁４１ｓ，４１ｓから頂部４２２ｔに向かって連続的に漸減していることで、身体へのフィット性の向上に加え、前記積繊装置における前記集積用凹部５５から離型する際の離型性が向上する点から好ましい。後方側凸部４２３も同様である。
【００７２】
また、ナプキン１の第一領域４１Ｆ及び第二領域４１Ｒは、厚みが同じであるが、中高部４２の厚みよりも小さければ、互いに異なる厚みであってもよい。また、ナプキン１の第一領域４１Ｆ及び第二領域４１Ｒは、坪量が同じであるが、中高部４２の坪量よりも小さければ、互いに異なる坪量であってもよい。また、ナプキン１の第一領域４１Ｆ及び第二領域４１Ｒは、溝部４５及び小吸収部４６を有しているが、有していなくてもよく、異なる形状の溝部４５及び小吸収部４６を有していてもよい。
【００７３】
また、ナプキン１では、排泄対向区域Ｂ内に中高部４２を有しているが、排泄対向区域Ｂから前方区域Ａ側又は後方区域Ｃ側の一部にまで延在していてもよい。例えば、前方側凸部４２２が排泄対向区域Ｂの中高中央部４２１から前方区域Ａ内にまで延在しており、後方側凸部４２３が排泄対向区域Ｂの中高中央部４２１から後方区域Ｃ内にまで延在していてもよい。このように中高部４２が排泄対向区域Ｂから前方区域Ａ側又は後方区域Ｃ側にまで延在している場合、中高部４２は、前方区域Ａ又は後方区域Ｃにおける中高部４２の外周域の部分と比較して厚みが厚くなっている。
【００７４】
また、ナプキン１の吸収性コア４１は、その全体が一体成形されているが、一体成形されていなくてもよい。例えば、吸収性コア４１において、第一領域４１Ｆから第二領域４１Ｒに亘って同じ高さにコア材料で形成しておき、次に、別のコア材料で形成されたものを配置して中高部４２を形成してもよい。
【００７５】
また、ナプキン１は、図１に示すように、肌側シート２の肌対向面における縦方向Ｘに沿う両側部に、サイドシート５を配しているが、サイドシート５の自由端部に、縦方向Ｘに伸長状態の弾性部材を配して防漏カフを形成していてもよい。
【００７６】
また、ナプキン１は、吸収性物品が３つ折りの個装形態に折り畳まれた際に生じる、該吸収性物品を横方向Ｙに横断する２本の折曲線（図示せず）の一本と、前方側凸部４２２の前方中高横溝部４７ａの位置とが一致していることが、個装時の収納性、持運び性、さらに使用時の折り線からの漏れ防止の点より好ましく、同様に、該吸収性物品の縦方向Ｘの前端から数えて第２折曲線の位置と後方側凸部４２３の後方中高横溝部４７ｃの位置とが一致していることが、好ましい。
【００７７】
また、ナプキン１は、図２に示すように、前方中高横溝部４７ａ及び後方中高横溝部４７ｃが前方側凸部４２２又は後方側凸部４２３に同数の２本配されているが、異なる本数であってもよい。
【００７８】
また、図１に示すナプキン１では、肌側シート２と吸収性コア４１とが圧搾一体化された線状圧搾溝７は、図１に示すように、前方区域Ａの第１横圧搾溝７１、一方の縦圧搾溝７３、後方区域Ｃの第１横圧搾溝７１、及び他方の縦圧搾溝７３から形成されるリング状の全周溝と、該全周溝とは独立した一対の第２縦圧搾溝７３Ａ，７３Ａとを有する形態であるが、他の形状の形態であってもよい。例えば、線状圧搾溝７は、一対の第２縦圧搾溝７３Ａ，７３Ａを有さずに、前方区域Ａの第１横圧搾溝７１、一方の縦圧搾溝７３、後方区域Ｃの第１横圧搾溝７１、及び他方の縦圧搾溝７３から形成されるリング状の全周溝のみを有する形態であってもよい。
【００７９】
また、ナプキン１の吸収性コア４１は、溝部４５を肌対向面側から非肌対向面側に向かって窪むように形成しているが、溝部４５を非肌対向面側から肌対向面側に向かって窪むように形成してもよい。これにより、液拡散性及び液保持性が向上する。
【００８０】
また、ナプキン１においては、ナプキン１の前方区域Ａの大きさと吸収性コア４１の第一領域４１Ｆの大きさとは略一致しているが、一致していなくてもよい。また、ナプキン１の後方区域Ｃの大きさと吸収性コア４１の第二領域４１Ｒの大きさとは略一致しているが、一致していなくてもよい。
【００８１】
また、本発明の吸収性物品は、生理用ナプキンの他、パンティライナー（おりものシート）、失禁パッド等であってもよい。
【実施例】
【００８２】
以下、本発明を実施例を用いて更に説明するが、本発明は、斯かる実施例によって何ら制限されるものではない。
【００８３】
〔実施例１〕
図１〜図２に示すナプキン１と同様の基本構成を有する生理用ナプキンを作製した。肌側シートとして坪量３０ｇ/ｍ2のエアースルー不織布を用い、非肌側シートとして坪量２５ｇ/ｍ2の非透湿ポリエチレン製フィルムシートを用い、サイドシートとして坪量２０ｇ/ｍ2の撥水性スパンボンド不織布を用いた。吸収性コアとしては、図２に示す形態のものを用いた。吸収性コア４１は、パルプ繊維と吸水性ポリマーの混合積繊体として形成した。吸収性コア４１は、中間領域４１Ｍに中高部４２を有し、中高部４２は、吸収性コア４１の全幅に亘る中高中央部４２１と、中高中央部４２１の前後端部にそれぞれ前方側凸部４２２及び後方側凸部４２３とを有している。中高部４２の厚みは７．０ｍｍであり、第一領域４１Ｆの厚み及び第二領域４１Ｒの厚みは３．０ｍｍであった。中高部４２の坪量は４５０ｇ／ｍ2であり、第一領域４１Ｆの坪量及び第二領域４１Ｒの坪量は２４０ｇ／ｍ2であった。また、中高部４２の縦方向Ｘの全長Ｌ２は、１２０ｍｍ、吸収性コア４１の縦方向Ｘの全長Ｌ１は、１９０ｍｍで、その６３％であった。また、中高横溝部４７を、前方側凸部４２２及び後方側凸部４２３にそれぞれ１本配した。中高横溝部４７は、前方側凸部４２２及び後方側凸部４２３の全幅に亘って配されており、その溝幅が２ｍｍであり、その厚みが２ｍｍであり、その坪量が１００ｇ／ｍ2であった。厚み及び坪量は上述した方法により測定した。また、吸収性コアは、その横方向Ｙの最大長さが、中高中央部４２１の横方向Ｙの最大長さと同一であった。
以上の形態の吸収性コアを、ティッシュペーパーで被覆して吸収体を形成し、肌側シートと非肌側シートとの間に挟み、実施例１のナプキンとした。吸収体と肌側シートとの間及び吸収体と非肌側シートとの間は接着剤を介して接合した。
【００８４】
〔比較例１〕
図６に示す形態の吸収性コア４１’を用いて、生理用ナプキンを製造する以外は、実施例１のナプキンと同様にして、比較例１のナプキンを作製した。図６に示す形態の吸収性コア４１’は、図２に示す形態の吸収性コアに比べて、中高部４２’が、吸収性コア４１’の全幅に亘って形成されておらず、吸収性コア４１’の横方向の中央部に配されていた。また、中高部４２’には縦方向Ｘ及び横方向Ｙに延びる溝部が配され、溝部によって区画された格子の目の位置に小吸収部が配されていた。中高部４２’の小吸収部の坪量は４５０ｇ／ｍ2であり、中高部４２’の周囲の領域の坪量は２４０ｇ／ｍ2であった。
【００８５】
〔評価〕
以下の方法により、実施例１のナプキン及び比較例１のナプキンについて、常法通りに着用してもらった後に、実施例１のナプキン及び比較例１のナプキンそれぞれについて、吸収範囲、吸収性、柔軟性、液拡散性及び横漏れに関して、下記評価基準により評価してもらった。
【００８６】
・吸収範囲の評価基準：「Ａ  吸収範囲が十分である」、「Ｂ  吸収範囲がやや良い」、「Ｃ  吸収範囲がやや狭い」、「Ｄ  吸収範囲が狭い」
・吸収性の評価基準：「Ａ  吸収性が十分である」、「Ｂ  吸収性がやや良い」、「Ｃ  吸収性にやや不安がある」、「Ｄ  吸収性に不安がある」
・柔軟性・フィット性の評価基準：「Ａ  柔軟性が十分でありフィット性が優れている」、「Ｂ  柔軟性がやや良くフィット性が良い」、「Ｃ  やや硬くフィット性がやや悪い」、「Ｄ  硬いくフィット性が悪い」
・液拡散性の評価基準：「Ａ  液拡散性が十分である」、「Ｂ  液拡散性がやや良い」、「Ｃ  液拡散性にやや不安がある」、「Ｄ  液拡散性に不安がある」
【００８７】
【表１】
2018068441.tif 000003
【００８８】
表１に示す結果から明らかなように、実施例１のナプキンは、比較例１のナプキンに比べ、吸収範囲が十分であり、吸収性が十分であることがわかった。また柔軟性にも優れていることがわかった。更に、実施例１のナプキンは、液拡散性が良く、横漏れも発生しなかった。このような実施例１のナプキンを使用すれば、多少ズレた状態で着用されても、身体形状へのフィット性に優れることで着用者に違和感を与え難く、着用者の肌との間に隙間を生じ難く、十分な吸収性能が発現できることが期待できる。
【符号の説明】
【００８９】
１  生理用ナプキン（吸収性物品）
Ａ  前方区域
Ｂ  排泄対向区域
Ｃ  後方区域
２  肌側シート
３  非肌側シート
４  吸収体
４１  吸収性コア
４１Ｆ  吸収性コアの第一領域
４１Ｍ  吸収性コアの中間領域
４１Ｒ  吸収性コアの第二領域
４２  中高部
４２１  中高中央部
４２２  前方側凸部
４２３  後方側凸部
４３  中高境界溝部
４４  中高隣接部
４５  溝部
４６  小吸収部
４７  中高横溝部
４７ａ  前方中高横溝部
４７ｃ  後方中高横溝部
５  サイドシート
６  接合部
７  線状圧搾溝
【図１】
2018068441.tif 000004
【図２】
2018068441.tif 000005
【図３】
2018068441.tif 000006
【図４】
2018068441.tif 000007
【図５】
2018068441.tif 000008
【図６】
2018068441.tif 000009